(57)【要約】【課題】複数の搬送手段が同一の駆動源によって駆動される画像形成装置で、タブ紙について転写ずれのない転写が行われる画像形成装置を提供する。【解決手段】通常の幅よりも狭い部分を備えた転写材を搬送ベルトで搬送する場合、狭い部分が転写部を通過するタイミングと、一対のローラ間のニップ部を前記転写材以外の転写材の先端または後端が通るタイミングとが重ならないように搬送手段の給紙タイミングを制御する制御手段を有することを特徴とする。【選択図】        図４
2005031230.tif 000002
【特許請求の範囲】
【請求項１】
像担持体と像担持体に形成されたトナー画像を転写手段により転写材に転写する転写手段と、対向してニップを形成し搬送力を有する一対の回転体である第一の搬送手段と、前記第一の搬送手段と駆動源を同一とする第二の搬送手段とを備え、連続して転写材を送り出す画像形成装置において、
通常の幅よりも狭い部分を備えた転写材を前記第二の搬送手段で搬送する場合、狭い部分が転写部を通過するタイミングと、前記第一の搬送手段を前記転写材以外の転写材の先端または後端が通るタイミングとが重ならないように搬送手段の給紙タイミングを制御する制御手段を有することを特徴とする画像形成装置。
【請求項２】
前記通常の幅よりも狭い部分を備えた転写材はタブ紙であり、タブ紙と検知した場合には通常の転写材を通紙する場合とは給紙タイミングを変更するよう制御することを特徴とする請求項１に記載の画像形成装置。
【請求項３】
前記給紙タイミングの変更は紙間を広くするものであることを特徴とする請求項２に記載の画像形成装置。
【請求項４】
像担持体と像担持体に形成されたトナー画像を転写手段により転写材に転写する転写手段と、対向してニップを形成し搬送力を有する一対の回転体である第一の搬送手段と、前記第一の搬送手段と駆動源を同一とする第二の搬送手段とを備え、連続して転写材を送り出す画像形成装置において、
前記第一の搬送手段を通常よりも厚い転写材の先端または後端が通るタイミングと前記転写材以外の転写材が第二の搬送手段に搬送されつつ転写部を通過するタイミングとが重ならないように搬送手段の給紙タイミングを制御する制御手段を有することを特徴とする画像形成装置。
【請求項５】
前記給紙タイミングの制御は紙間を広くするものであることを特徴とする請求項４に記載の画像形成装置。
【発明の詳細な説明】
【０００１】
【発明の属する技術分野】
本発明は、プリンタ、複写機等の画像形成装置に係わり、特に高速プリントを行う転写材の搬送手段の搬送制御に改良を行った画像形成装置に関する。
【０００２】
【従来の技術】
画像形成装置では、感光体ドラム等の像担持体の近傍に、帯電手段、像露光手段、現像手段及び転写手段を設け、帯電手段によって一様帯電した像担持体上に像露光を行って静電潜像を形成し、現像手段によって現像がなされて静電潜像部分にトナーが付着しトナー画像が形成される。該像担持体上のトナー画像は同期して搬送される転写材（転写紙）上に転写手段によって転写される。転写したトナー画像を保持した転写材は、分離手段によって像担持体から分離し、定着手段によって定着がなされて機外に排出される。
【０００３】
近年、高性能の画像形成装置が求められ、普通紙をはじめとして厚紙やタブ紙等の多種の転写材に対して、単位時間に多数枚の高速プリントがなされる画像形成装置が提供されるようになって来た。高速プリントは、回転する像担持体の線速度や転写材の搬送速度を高速化することと、連続して搬送される転写材間の間隔をジャム等の事故が発生しない限度で狭く設定することによって可能となる。転写材間の間隔を狭く設定した場合、普通紙に対しては問題がない場合も厚紙やタブ紙に対しては転写ずれが生じる。
【０００４】
特許文献１には、転写紙が厚紙と判断された場合には給紙タイミングを制御して、厚紙間の間隔を通常の普通紙よりも広くすることが記載されている。
【０００５】
【特許文献１】
特開２００１−３１０８４２号公報
【０００６】
【発明が解決しようとする課題】
本発明者らは、普通紙に較べてタブ紙や厚紙の場合には転写ずれが生じ易い原因について種々検討を行った。その結果、次のことが明らかとなった。
【０００７】
▲１▼転写ずれはタブ紙や厚紙について画面前面に発生するのではなく、局所的に発生する傾向にある。
【０００８】
▲２▼転写紙の搬送手段としては、転写紙を上面に乗せて搬送する搬送ベルト、或いは一対のローラ間のニップ部に転写紙を挟持して搬送する搬送ローラが用いられているが、これらの複数の搬送手段が同一の駆動源で駆動される構成の場合に転写すれば発生している。但し、同一の駆動源によるときは、原価性からは有利である。
【０００９】
本発明者らは、これらの検討結果をふまえて、複数の搬送手段が同一の駆動源によって搬送される構成の画像形成装置について、次のＡ、Ｂの画像形成装置を提供することを目的とする。
【００１０】
Ａ．転写紙がタブ紙の場合に可能な限り高い処理性を有しながら、転写ずれを生じることのない画像形成装置。
【００１１】
Ｂ．転写紙に厚紙が存在している場合に可能な限り高い処理性を有しながら、転写ずれを生じることのない画像形成装置。
【００１２】
【課題を解決するための手段】
前記のＡの課題を解決し、かつ目的を達成するために本発明は以下のように構成している。
【００１３】
請求項１記載の発明は、「像担持体と像担持体に形成されたトナー画像を転写手段により転写材に転写する転写手段と、対向してニップを形成し搬送力を有する一対の回転体である第一の搬送手段と、前記第一の搬送手段と駆動源を同一とする第二の搬送手段とを備え、連続して転写材を送り出す画像形成装置において、
通常の幅よりも狭い部分を備えた転写材を前記第二の搬送手段で搬送する場合、狭い部分が転写部を通過するタイミングと、前記第一の搬送手段を前記転写材以外の転写材の先端または後端が通るタイミングとが重ならないように搬送手段の給紙タイミングを制御する制御手段を有することを特徴とする画像形成装置。」である。
【００１４】
請求項２記載の発明は、「前記通常の幅よりも狭い部分を備えた転写材はタブ紙であり、タブ紙と検知した場合には通常の転写材を通紙する場合とは給紙タイミングを変更するよう制御することを特徴とする請求項１に記載の画像形成装置。」である。
【００１５】
請求項３記載の発明は、「前記給紙タイミングの変更は紙間を広くするものであることを特徴とする請求項２に記載の画像形成装置。」である。
【００１６】
この請求項１〜３記載の発明によれば、普通紙のみではなくタブ紙についても転写ずれを生じることなく高速プリントがなされることとなる。
【００１７】
前記のＢの課題を解決し、かつ目的を達成するために本発明は以下のように構成している。
【００１８】
請求項４記載の発明は、「像担持体と像担持体に形成されたトナー画像を転写手段により転写材に転写する転写手段と、対向してニップを形成し搬送力を有する一対の回転体である第一の搬送手段と、前記第一の搬送手段と駆動源を同一とする第二の搬送手段とを備え、連続して転写材を送り出す画像形成装置において、
前記第一の搬送手段を通常よりも厚い転写材の先端または後端が通るタイミングと前記転写材以外の転写材が第二の搬送手段に搬送されつつ転写部を通過するタイミングとが重ならないように搬送手段の給紙タイミングを制御する制御手段を有することを特徴とする画像形成装置。」である。
【００１９】
請求項５記載の発明は、「前記給紙タイミングの制御は紙間を広くするものであることを特徴とする請求項４に記載の画像形成装置。」である。
【００２０】
この請求項４、５記載の発明によれば、普通紙のみではなく厚紙についても転写ずれを生じることなく高速プリントがなされることとなる。
【００２１】
【発明の実施の形態】
（１）実施の形態の説明に先立って本発明の説明を行う。
【００２２】
本発明者らの検討によれば、転写むらは搬送ローラの回転むらが原因であって、搬送ローラの回転むらは搬送ローラのニップ部に転写紙先端が進入する際、又は転写紙後端が排出する際発生する。
【００２３】
厚紙が一対の搬送ローラ間に搬入されたとき或いは排出されるとき発生する回転むらの経過時間との状態を示したのが表１であって、搬送ローラ間に転写紙が搬入又は排出されてから２００ｍｓ以上経過するまでの間に同一の駆動力で搬送される前又は後の転写紙が転写部に存在しないことが転写むらを解消する条件となる。但し、２００ｍｓは固定した値ではなく機種により異なった値となる。この時間を回転むら時間α（ｓ）と呼ぶ。
【００２４】
【表１】
2005031230.tif 000003
【００２５】
しかし、普通の転写紙では、この回転むらの発生している時間内に転写紙が転写部を通過することがあっても転写ずれが発生することはなかった。転写紙に像担持体から画像を転写する場合、像担持体と転写紙との間では静電的／機械的な密着力により搬送力を持っているため、像担持体以外のその紙を搬送する部材が回転むらを起こしても転写ずれが発生することにはならない。
【００２６】
Ａ．しかし転写紙がタブ紙の場合には、タブ部は紙幅が狭い関係から像担持体への密着力が弱く、タブ部においては回転むらの影響が直接あらわれる。本発明はタブ部が転写部を通過する間は回転むらのないよう制御を行うことによって転写ずれを防止している。
【００２７】
Ｂ．転写紙が厚紙の場合には、転写紙の先端または後端が転送ローラを通過する際顕著な回転むらが生じる。本発明は厚紙に前後した転写紙が転写部を通過する間は回転むらがないよう制御を行うことによって転写ずれを防止している。
【００２８】
（２）本発明が適用される画像形成装置について、図１に示す構成図を用いて説明する。但し、本発明はこの構成に限定されるものではない。
【００２９】
画像形成装置は、回転する像担持体１の周囲に、帯電手段２、像露光手段（書込手段）３、現像手段４、転写手段５Ａ、除電手段５Ｂ及びクリーニング手段５Ｃを配置した画像形成部を有し、帯電手段２によって像担持体１の表面に一様帯電を行った後に、像露光手段３のレーザビームによって原稿から読み取られた画像データに基づく露光走査を行って潜像を形成し、該潜像を現像手段４により反転現像して像担持体１の表面にトナー像を形成する。
【００３０】
一方、給紙カセット８Ａ（Ｂ，Ｃ，Ｄ）には紙サイズ或いは紙種を異にした転写紙を内蔵していて、分離搬送手段６Ａによって給紙カセット８から１枚宛分離された転写紙は中間給紙部６Ｂ、レジストローラ６Ｃを経て転写部へと送られる。転写部においては転写手段５Ａにより前記トナー像が転写紙上に転写される。その後に転写紙は除電手段５Ｂにより裏面の電荷が消去されて像担持体１から分離され、搬送ベルト６Ｄにより搬送され、引き続き定着手段７の加熱ローラと加圧ローラ間に挟持搬送されながら加熱定着され、排紙ローラ６Ｅにより機外に排出される。
【００３１】
高速プリントを行う画像形成装置では予め設定された搬送タイムプログラムによって搬送手段は制御され、転写紙先端がレジストローラ６Ｃを通過すると制御部は所定のタイミングをもって像露光手段３の露光走査開始の時間を制御し、像担持体上に形成されたトナー画像の先端が転写紙先端と合致した当接状態となり、転写手段５Ａによってトナー画像の転写が行われる。
【００３２】
本実施例の画像形成装置では、像担持体１の線速度、即ち転写紙の搬送速度は３７０〜４９０ｍｍ／ｓの間にあって、本実施例では４２０ｍｍ／ｓであり、普通紙の場合の連続プリント時の紙間間隔は６０〜８０ｍｍである。
【００３３】
（３）図２には電気制御系の概要を示している。１０１は演算制御処理を行うＣＰＵで、画像形成プログラムを記憶したＲＯＭ１、普通紙の連続搬送タイムプログラムを記憶したＲＯＭ２、タブ紙の連続搬送タイムプログラムを記憶したＲＯＭ３、厚紙の連続搬送タイムプログラムを記憶したＲＯＭ４、転写紙種類・サイズ・枚数に対応して演算処理された連続搬送タイムテーブルを記憶するＲＡＭ及びタイマ等が接続れていて、ＣＰＵ１０１はインターフェース１１０を介して外部機器に接続されている。
【００３４】
インターフェース１１０の入力側には、操作盤上に設けられたスタート釦１１１、普通紙、タブ紙、厚紙等の紙種を選択する転写紙種類選択手段１１２、Ａ４、Ｂ４等の紙サイズを選択する転写紙サイズ選択手段１１３、プリント枚数設定手段１１４が接続され、インターフェース１１０の出力側には像担持体１、帯電手段２、像露光手段３等の画像形成手段（１〜５）、給紙カセット８Ａ（Ｂ，Ｃ，Ｄ）、レジストローラ６Ｃ等の転写紙搬送手段（６Ａ〜６Ｅ）の各々が接続されている。
【００３５】
普通紙を用いての連続プリント時には、ユーザが転写紙種類選択手段１１２によって普通紙を選択し、転写紙サイズ選択手段１１３によって例えばＡ４サイズを選択し、プリント枚数設定手段１１４によって例えば２０枚のプリントを設定すると、ＣＰＵ１０１はＲＯＭ２から普通紙の連続搬送タイムプログラムを呼び出して、２０枚のＡ４サイズの普通紙についての連続搬送タイムテーブルを作成し、ＲＡＭに記録する。普通紙の連続搬送タイムプログラムとしては、ジャム事故を起こすことなく連続プリントがなされる実験的に求められた普通紙の紙間距離ＬＡ（ｍｍ）が記憶されている。
【００３６】
スタート釦１１１がＯＮされると、ＣＰＵ１００はＲＯＭ１から画像形成プログラムを呼び出し、ＲＡＭから２０枚のＡ４サイズの普通紙についての連続プリントタイムテーブルを呼び出し、給紙カセット８Ａ（Ｂ，Ｃ，Ｄ）のうちＡ４サイズの普通紙を積載した給紙カセットから１枚宛転写紙を分離搬出し、連続プリントタイムプログラムによって紙間距離ＬＡをもって連続搬送され、レジストローラ６Ｃによる転写紙先端の通過から予め設定された所定時間を経て画像形成手段（１〜５）は作動し、同期をとって形成されたトナー画像は転写部において転写手段５Ａによって転写紙上に転写され、分離手段５によってトナー像を保持した転写紙は像担持体１から分離し、搬送ベルト６Ｄで定着手段７へと搬送され、定着された後機外へと搬出される。転写紙の搬送方向の長さをＬＰ（ｍｍ）とするとき、転写紙（ＬＰ＋ＬＡ）／Ｓのタイミングで排紙トレイ上に連続して排出され記載される。但しＳ（ｍｍ／ｓ）は転写紙の搬送線速度である。
【００３７】
（実施の形態１）
本実施形態は、同一の駆動源で駆動する第一の搬送手段である一対の回転体と、第二の搬送手段である搬送ベルトによって転写紙が転写域を通過する構成の画像形成装置について、転写紙がタブ紙でタブ紙を第二の搬送手段で搬送する場合は、紙幅が狭い部分のタブ部が転写部を通過するタイミングと、当該タブ紙以外の転写紙の先端または後端が第一の搬送手段を通るタイミングとが重ならないように制御部は給紙タイミングの制御を行う。
【００３８】
図３はタブ紙の形状を示したもので、搬送方向へのタブ紙全長ＬＰ（ｍｍ）に対して本体部の範囲ＬＰａ（ｍｍ）、タブ部の範囲はＬＰｂ（ｍｍ）をもって表示している。
【００３９】
実施例１
図４は第１の実施例を示すもので、線速度Ｓ（ｍｍ／ｓ）をもって回転する像担持体１に対向して設けられた転写手段５Ａとは転写部を構成していて、転写部の上流側には第一の搬送手段であるレジストローラ６Ｃが、下流側には第二の搬送手段である搬送ベルト６Ｄが配置された構成となっていて、転写部とレジストローラ６ＣとはＬ１（ｍｍ）の間隔を有している。
【００４０】
本実施例においては、タブ紙Ｐ１のタブ部が転写部を通過するタイミングと、後続する転写紙Ｐ２先端がレジストローラ６Ｃに進入するタイミングが重ならないような制御が行われる。
【００４１】
即ち制御部１００は転写紙種類選択手段１１２によってタブ紙が選択され、転写紙サイズ選択手段１１３によって転写紙サイズが選択され、プリント枚数設定手段１１４によってプリント枚数が設定されて入力されると、ＣＰＵ１０１はＲＯＭ３よりタブ紙の連続搬送タイムプログラムを呼び出して、｛Ｌ１−（αＳ＋ＬＰｂ）｝の演算を行い、演算結果が普通紙の紙間距離ＬＡより大なるときはＬＡをもってタブ紙の紙間距離に設定し、ＬＡより小なるときはＬ１をもってタブ紙の紙間距離に設定する。
【００４２】
ＣＰＵ１０１は入力された転写紙サイズ、プリント枚数と、設定された紙間距離ＬＡ又はＬ１とから連続プリントテーブルをＲＡＭに記録し、スタート釦１１１のＯＮ入力によって、ＲＡＭに記録された連続プリントテーブルを呼び出し、指定された転写紙サイズのタブ紙を積載した給紙カセット８から（ＬＰ＋ＬＡ）／Ｓ又は（ＬＰ＋Ｌ１）／Ｓの時間間隔をもって搬出するタブ紙上に画像形成が行われる。
【００４３】
なお本実施例はプリント枚数全数がタブ紙である必要はなく、普通紙とタブ紙とが混在している場合にも適用される。その際は注目するタブ紙と次に搬送される転写紙との紙間距離時間をＬＡ／Ｓ又はＬ１／Ｓに設定されたタイムテーブルが作成されて画像形成が行われる。
【００４４】
実施例２
図５は第２の実施例を示すもので、線速度Ｓ（ｍｍ／ｓ）をもって回転する像担持体１に対向して設けられた転写手段５Ａとは転写部の下流側には第二の搬送手段である搬送ベルト６Ｄが、更にその下流側には搬送定着を行う定着ローラ７が第一の搬送手段として配置された構成となっていて、転写部と定着ローラ７とはＬ２（ｍｍ）の間隔を有している。
【００４５】
本実施例においては、タブ紙Ｐ３のタブ部が転写部を通過するタイミングと、先行した転写紙Ｐ４後端が定着ローラ７から脱出するタイミングが重ならないような制御が行われる。
【００４６】
即ち制御部１００は転写紙種類選択手段１１２によってタブ紙が選択され、転写紙サイズ選択手段１１３によって紙サイズが選択され、プリント枚数設定手段１１４によってプリント枚数が設定され入力されると、ＣＰＵ１０１はＲＯＭ３よりタブ紙の連続搬送タイムプログラムを呼び出して｛Ｌ２−（ＬＰａ−αＳ）｝の演算を行い、演算結果が普通紙の紙間距離ＬＡより大なるときは｛Ｌ２−（ＬＰａ−αＳ）｝をもってタブ紙の紙間距離に設定し、ＬＡより小なるときはＬＡをもってタブ紙の紙間距離に設定する。
【００４７】
ＣＰＵ１０１は入力された転写紙サイズ、プリント枚数と、設定された紙間距離｛Ｌ２−（ＬＰａ−αＳ）｝又はＬＡとから連続プリントテーブルをＲＡＭに記録し、スタート釦１１１のＯＮ入力によって、ＲＡＭに記録された連続プリントテーブルを呼び出し、指定された転写紙サイズのタブ紙を積載した給紙カセット８から｛ＬＰ＋Ｌ２−（ＬＰａ−αＳ）｝／Ｓ又は（ＬＰ＋ＬＡ）／Ｓの時間間隔をもって排出するタブ紙上に画像形成が行われる。
【００４８】
なお本実施例はプリント枚数全数がタブ紙である必要はなく、普通紙とタブ紙とが混在している場合にも適用される。その際は注目するタブ紙とその前に搬送される転写紙との紙間距離時間を｛Ｌ２−（ＬＰａ−αＳ）｝／Ｓ又はＬＡ／Ｓに設定されたタイムテーブルが作成されて画像形成が行われる。
【００４９】
上記説明は本発明（実施の形態１）を実施するための演算通程を示しているが、紙サイズに応じてＬＰ，ＬＰａ，ＬＰｂは定まり、Ｌ１，Ｌ２も構成によって定まり、またαも実験によって求められる値であるので、予め紙サイズに応じた紙間距離時間を演算し演算結果をテーブルとしてメモリしておくことにより、容易に本発明の制御を行うことができる。
【００５０】
（実施の形態２）
本実施形態は、同一の駆動源で駆動する第一の搬送手段である一対の回転体と、第二の搬送手段である搬送ベルトによって転写紙が転写域を通過する構成の画像形成装置について、転写紙を第二の搬送手段で搬送する場合は、転写紙が第二の搬送手段に搬送されつつ転写部を通過するタイミングと、当該転写紙以外の厚紙の先端または後端が第一の搬送手段を通るタイミングとが重ならないように制御部は給紙タイミングの制御を行う。
【００５１】
実施例３
図６は第３の実施例を示すもので、線速度Ｓ（ｍｍ／ｓ）をもって回転する像担持体１に対向して設けられた転写手段５Ａとは転写部を構成していて、転写部の上流側には第一の搬送手段であるレジストローラ６Ｃが、下流側には第二の搬送手段である搬送ベルト６Ｄが配置された構成となっていて、転写部とレジストローラ６ＣとはＬ１（ｍｍ）の間隔を有している。
【００５２】
本実施例においては、転写紙Ｐ５が転写部を通過しているタイミングと、後続する厚紙Ｐ６先端がレジストローラ６Ｃに進入するタイミングが重ならないような制御が行われる。
【００５３】
即ち制御部１００は転写紙種類選択手段１１２によって厚紙が選択され、転写紙サイズ選択手段１１３によって転写紙サイズが選択され、プリント枚数設定手段１１４によってプリント枚数が設定されて入力されると、ＣＰＵ１０１はＲＯＭ４より厚紙の連続搬送タイムプログラムを呼び出して、｛Ｌ１−（αＳ＋ＬＰ）｝の演算を行い、演算結果が普通紙の紙間距離ＬＡより大なるときはＬＡをもって厚紙の紙間距離に設定し、ＬＡより小なるときはＬ１をもって厚紙の紙間距離に設定する。
【００５４】
ＣＰＵ１０１は入力された転写紙サイズ、プリント枚数と、設定された紙間距離ＬＡ又はＬ１とから連続プリントテーブルをＲＡＭに記録し、スタート釦１１１のＯＮ入力によって、ＲＡＭに記録された連続プリントテーブルを呼び出し、指定された転写紙サイズの厚紙を積載した給紙カセット８から（ＬＰ＋ＬＡ）／Ｓ又は（ＬＰ＋Ｌ１）／Ｓの時間間隔をもって搬出する厚紙上に画像形成が行われる。
【００５５】
なお本実施例はプリント枚数全数が厚紙である必要はなく、普通紙と厚紙とが混在している場合にも適用される。その際は注目する厚紙と先に搬送される転写紙との紙間距離時間をＬＡ／Ｓ又はＬ１／Ｓに設定されたタイムテーブルが作成されて画像形成が行われる。
【００５６】
実施例４
図７は第４の実施例を示すもので、線速度Ｓ（ｍｍ／ｓ）をもって回転する像担持体１に対向して設けられた転写手段５Ａとは転写部の下流側には第二の搬送手段である搬送ベルト６Ｄが、更にその下流側には搬送定着を行う定着ローラ７が第一の搬送手段として配置された構成となっていて、転写部と定着ローラ７とはＬ２（ｍｍ）の間隔を有している。
【００５７】
本実施例においては、転写紙Ｐ７が転写部を通過しているタイミングと、先行した厚紙Ｐ８後端が定着ローラ７から脱出するタイミングが重ならないような制御が行われる。
【００５８】
即ち制御部１００は転写紙種類選択手段１１２によって厚紙が選択され、転写紙サイズ選択手段１１３によって紙サイズが選択され、プリント枚数設定手段１１４によってプリント枚数が設定され入力されると、ＣＰＵ１０１はＲＯＭ４より厚紙の連続搬送タイムプログラムを呼び出して｛Ｌ２−（ＬＰ−αＳ）｝の演算を行い、演算結果が普通紙の紙間距離ＬＡより大なるときはＬＡをもって厚紙の紙間距離に設定し、ＬＡより小なるときはＬ２をもって厚紙の紙間距離に設定する。
【００５９】
ＣＰＵ１０１は入力された転写紙サイズ、プリント枚数と、設定された紙間距離ＬＡ又はＬ２とから連続プリントテーブルをＲＡＭに記録し、スタート釦１１１のＯＮ入力によって、ＲＡＭに記録された連続プリントテーブルを呼び出し、指定された転写紙サイズの厚紙を積載した給紙カセット８から（ＬＰ＋ＬＡ）／Ｓ又は（ＬＰ＋Ｌ２）／Ｓの時間間隔をもって排出する厚紙上に画像形成が行われる。
【００６０】
なお本実施例はプリント枚数全数が厚紙である必要はなく、普通紙と厚紙とが混在している場合にも適用される。その際は注目する厚紙と先に搬送される転写紙との紙間距離時間をＬＡ／Ｓ又はＬ２／Ｓに設定されたタイムテーブルが作成されて画像形成が行われる。
【００６１】
上記説明は本発明（実施の形態２）を実施するための演算過程を示しているが、紙サイズに応じてＬＰは定まり、Ｌ１，Ｌ２も構成によって定まり、またαも実験によって求められる値であるので、予め紙サイズに応じた紙間距離時間を演算し演算結果をテーブルとしてメモリしておくことにより、容易に本発明の制御を行うことができる。
【００６２】
【発明の効果】
同一の駆動源で駆動される複数の搬送手段によって転写部を通過する転写紙上に転写が行われる画像形成装置について、請求項１〜３の発明によるときは、転写紙がタブ紙の場合について従来生じ易かった転写ずれの現象を解消し、請求項４、５の発明によるときは、転写紙に厚紙が存在している場合について従来生じ易かった転写ずれの現象を解消し、転写紙の種類に制限されることなく転写ずれの生じることのないトナー画像の良好な転写がなされる画像形成装置が提供されることとなった。
【図面の簡単な説明】
【図１】画像形成装置の構成図。
【図２】電気制御系の概要図。
【図３】タブ紙の形状図。
【図４】転写部近傍の構成図（実施例１）。
【図５】転写部近傍の構成図（実施例２）。
【図６】転写部近傍の構成図（実施例３）。
【図７】転写部近傍の構成図（実施例４）。
【符号の説明】
１  像担持体
５Ａ  転写手段
５Ｂ  除電手段
６Ｃ  レジストローラ
６Ｄ  搬送ベルト
７  定着手段、定着ローラ
８  給紙カセット
【図１】
2005031230.tif 000004
【図２】
2005031230.tif 000005
【図３】
2005031230.tif 000006
【図４】
2005031230.tif 000007
【図５】
2005031230.tif 000008
【図６】
2005031230.tif 000009
【図７】
2005031230.tif 000010